(57)【要約】【課題】装置規模を容易に小型化することができるカプセル型医療装置を提供すること。【解決手段】本発明にかかるカプセル型医療装置１は、機能部品を搭載した照明基板３ｂ、撮像基板５ｂ、通信基板６ｃおよび制御基板７ｃを内包するカプセル型筐体２と、これら機能部品に電力を供給するシート状電池８とを備える。シート状電池８は、棒形状に丸められた態様で撮像基板５ｂ、通信基板６ｃおよび制御基板７ｃの切り欠き部１０ａ〜１０ｃとカプセル型筐体２の内壁部との間に配置される。【選択図】        図１
2010035636.tif 000002
【特許請求の範囲】
【請求項１】
機能部品を搭載する１枚以上の回路基板を内包するカプセル型筐体と、
棒形状に丸められた態様で前記回路基板の外周と前記カプセル型筐体の内壁との間に配置され、前記機能部品に電力を供給するシート状電池と、
を備えたことを特徴とするカプセル型医療装置。
【請求項２】
前記回路基板は、少なくとも前記シート状電池に対向する外周を部分的に切り欠いた切り欠き部を形成され、
前記シート状電池は、前記切り欠き部と前記カプセル型筐体の内壁部との間に配置されることを特徴とする請求項１に記載のカプセル型医療装置。
【請求項３】
前記シート状電池は、前記回路基板の外周に対向する領域に開口部を形成され、
前記回路基板の外周部は、前記開口部に嵌め込まれることを特徴とする請求項１に記載のカプセル型医療装置。
【請求項４】
前記シート状電池の長手方向は、前記カプセル型筐体の長手方向と平行であることを特徴とする請求項１〜３のいずれか一つに記載のカプセル型医療装置。
【請求項５】
機能部品を搭載する１枚以上の回路基板を内包するカプセル型筐体と、
電極端子を含み、前記電極端子を前記カプセル型筐体の内側に露出する態様で前記カプセル型筐体に埋め込まれ、前記電極端子を介して前記機能部品に電力を供給するシート状電池と、
を備えたことを特徴とするカプセル型医療装置。
【請求項６】
機能部品を搭載する１枚以上の回路基板を内包するカプセル型筐体と、
電極端子を含み、折り畳んだ態様で互いに対向する回路基板の間に配置され、折り畳む前の元の状態に復帰しようとする弾性力によって前記対向する回路基板の少なくとも一方に前記電極端子を押圧し、押圧した前記電極端子を介して前記機能部品に電力を供給するシート状電池と、
を備えたことを特徴とするカプセル型医療装置。
【請求項７】
前記シート状電池の形状は、
複数の円形形状部分と、
前記複数の円形形状部分を一連に接続する帯状部分と、
を含むことを特徴とする請求項６に記載のカプセル型医療装置。
【請求項８】
機能部品を搭載する２枚以上の回路基板を内包するカプセル型筐体と、
前記回路基板内の回路基板同士の間隔を保持するとともに、前記機能部品に電力を供給するシート状電池と、
を備えたことを特徴とするカプセル型医療装置。
【請求項９】
前記シート状電池は、筒形状の態様で前記回路基板間に配置されることを特徴とする請求項８に記載のカプセル型医療装置。
【請求項１０】
前記シート状電池は、複数の筒形状部を備え、前記複数の筒形状部によって前記回路基板同士の間隔を保持することを特徴とする請求項９に記載のカプセル型医療装置。
【請求項１１】
前記回路基板は、前記シート状電池の電極を挟み込んで接続するクリップ端子を備えたことを特徴とする請求項１〜１０のいずれか一つに記載のカプセル型医療装置。
【発明の詳細な説明】
【技術分野】
【０００１】
本発明は、被検体内に導入され、この被検体の画像情報等の体内情報を取得するカプセル型医療装置に関り、より詳細には、カプセル型医療装置に含まれる電池の配置位置および電池の形状に関る。
【背景技術】
【０００２】
従来から、内視鏡の分野において、カプセル型筐体の内部に撮像機能および無線通信機能を備えたカプセル型医療装置が登場している。一般に、カプセル型医療装置は、被検体の体内に導入され、被検体の体内から被検体の情報を取得する。
【０００３】
通常の内視鏡と異なり、カプセル型医療装置は有線ではない為、電池などの電力源が搭載される。このようなカプセル型医療装置として、例えば、リチウムポリマーセルバッテリ等の柔軟なシート状電池を、円筒状のカプセル型筐体の内面に沿って丸めた形態にして内蔵したものがある（特許文献１参照）。
【０００４】
【特許文献１】特開２００７−１８１５１６号公報
【発明の開示】
【発明が解決しようとする課題】
【０００５】
特許文献１で開示されているカプセル型医療装置は、電力源としてシート状電池を用いることで小型軽量化を図っているが、シート状電池をカプセル型医療装置内に配置するために、わざわざ各種基板を一体化した回路ユニットを形成している。回路ユニットを形成することにより生産工程が増加するおそれがある。
【０００６】
本発明は、シート状電池を用い、なおかつ生産性に優れるカプセル型医療装置を提供することを目的とする。
【課題を解決するための手段】
【０００７】
本願発明者等は、カプセル型医療装置に内蔵するシート状電池の配置状態を工夫することにより、上記課題を解決できることを見出した。すなわち、本願発明は、機能部品を搭載する回路基板を内包するカプセル型筐体と、棒形状に丸められた態様で前記回路基板の外周部と前記カプセル型筐体の内壁部との間に配置され、前記機能部品に電力を供給するシート状電池と、を備えたことを特徴とするカプセル型医療装置により、上記課題を解決する。
【０００８】
また、本願発明は、機能部品を搭載する回路基板を内包するカプセル型筐体と、前記回路基板に接続する電極端子部を前記カプセル型筐体の内側に露出する態様で前記カプセル型筐体に埋め込まれ、前記電極端子部を介して前記機能部品に電力を供給するシート状電池と、を備えたことを特徴とするカプセル型医療装置により、上記課題を解決する。
【０００９】
本願発明は、機能部品を搭載する回路基板を内包するカプセル型筐体と、外側に電極を向けて折り畳んだ態様で前記回路基板内の互いに対向する回路基板の間に配置され、折り畳む前の元の状態に復帰しようとする弾性力によって前記対向する回路基板の少なくとも一方に前記電極を押圧し、この押圧した前記電極を介して前記機能部品に電力を供給するシート状電池と、を備えたことを特徴とするカプセル型医療装置により、上記課題を解決する。
【００１０】
本願発明は、機能部品を搭載する回路基板を内包するカプセル型筐体と、前記回路基板内の互いに対向する複数の回路基板間の基板間隔を保持するとともに、前記機能部品に電力を供給するシート状電池と、を備えたことを特徴とするカプセル型医療装置により、上記課題を解決する。
【発明の効果】
【００１１】
本発明により、シート状電池を用い、なおかつ生産性に優れるカプセル型医療装置を提供することができる。
【発明を実施するための最良の形態】
【００１２】
以下、図面を参照して、本発明のシート状電池の配置態様を適用しうるカプセル型医療装置について説明する。ただし、本発明は以下の記載に限定されるものではない。
【００１３】
（実施の形態１）
図１は、本発明の実施の形態１にかかるカプセル型医療装置の一構成例を示す模式図である。図２は、図１に示すカプセル型医療装置のＡ−Ａ線断面模式図である。図１、２に示されるカプセル型医療装置１は、カプセル型筐体２と、被写体を照明する照明部３と、照明部３によって照明された被写体の光学像を結像する光学系４と、この被写体の画像すなわち被検体の体内画像を撮像する撮像部５と、撮像部５によって撮像された体内画像を外部に無線送信する無線通信部６と、カプセル型医療装置１に含まれる各構成要素の動作等を制御する制御部７と、カプセル型医療装置１の各構成部に電力を供給するシート状電池８とを備える。ただし、本発明のカプセル型医療装置の構成要素としては上述のものに限定されない。例えば、撮像部の機能によっては発光部を含まない構造も取りうる。以下、各構成要素について詳細を記載する。
【００１４】
カプセル型筐体２は、カプセル型医療装置の内部構成要素を保護する役割を少なくとも担う。カプセル型筐体２の形状としては特に限定されず、例えば図１に示すように両端がドーム型の円筒形などが挙げられる。カプセル型医療装置の内部構成要素が水を嫌う場合、カプセル型筐体２は気密性を有していることが好ましい。カプセル型筐体２の形成材料としては特に限定されず、例えば樹脂が挙げられる。体内の情報を取得する撮像部５が、光学情報を取得する機能を有する場合、カプセル型筐体２２には光学的に透明な部分を含むことが好ましい。例えば、図１に示すように半球ドーム形状をなすドーム形状筐体２ｂを、透明な部材で形成することができる。
【００１５】
照明部３は、白色光等の可視光である照明光を被検体の臓器内部に照射し、これによって撮像部５の被写体である被検体の臓器内部を照明する。具体的には、照明部３は、照明光を発光する複数の発光部３ａと、照明部３の機能を実現するための回路が形成された照明基板３ｂとを備える。
【００１６】
複数の発光部３ａは、例えばＬＥＤ等の発光素子であり、撮像部５の被写体を照明するための照明光を発光する。複数の発光部３ａは、ドーム形状筐体２ｂ越しに撮像部５の被写体に照明光を照射し、この照明光によって撮像部５の被写体である被検体の臓器内部を照明する。照明基板３ｂは、かかる複数の発光部３ａの機能を実現するための回路が形成された円盤型のリジッド回路基板である。この照明基板３ｂの略中央部には、光学系４を挿通する開口部が形成される。かかる照明基板３ｂの実装面、すなわちドーム形状筐体２ｂに対向する基板面には、この開口部を囲むように複数の発光部３ａが実装される。
【００１７】
光学系４は、上述した複数の発光部３ａの照明光によって照明された被検体の臓器内部からの反射光、すなわち撮像部５の被写体からの反射光を撮像部５の受光面に集光する。具体的には、光学系４は、撮像部５の受光面に光を集光するレンズ４ａと、このレンズ４ａを保持するレンズ枠４ｂとを備える。
【００１８】
レンズ枠４ｂは、両端が開口した筒状構造を有し、筒内部にレンズ４ａを保持する。レンズ枠４ｂの上端側は、照明基板３ｂの開口部に挿通して固定され、レンズ枠４ｂの下端側は、撮像部５の固体撮像素子５ａに固定される。レンズ４ａは、このレンズ枠４ｂの上端側開口部の近傍に固定され、撮像部５の被写体からの反射光を撮像部５の受光面に集光して、この被写体の光学像を撮像部５の受光面に結像する。なお、かかる光学系４の光軸は、カプセル型筐体２の寸法の長い方の側の方向である長手方向の中心軸ＣＬと一致することが望ましい。
【００１９】
撮像部５は、上述した複数の発光部３ａの照明光によって照明された被写体である被検体の臓器内部の画像、すなわち被検体の体内画像を撮像する。具体的には、撮像部５は、ＣＣＤまたはＣＭＯＳイメージセンサ等の固体撮像素子５ａと、撮像部５の機能を実現するための回路が形成された撮像基板５ｂとを備える。
【００２０】
撮像基板５ｂは、外周部のうちのシート状電池８に対向する一部分に切り欠き部１０ａが形成された略円盤型のリジッド回路基板であり、固体撮像素子５ａ等の体内画像の撮像機能に必要な機能部品を搭載する。固体撮像素子５ａは、かかる撮像基板５ｂの実装面に実装され、且つ、上述したようにレンズ枠４ｂの下端側開口部に固定される。固体撮像素子５ａは、光学系４によって集光された被写体からの反射光を受光面を介して受光し、この受光した被写体からの反射光を光電変換処理することによって、この被写体の画像、すなわち被検体の体内画像を撮像する。
【００２１】
無線通信部６は、撮像部５によって撮像された被検体の体内画像を被検体外部の受信装置（図示せず）に順次無線送信する。具体的には、無線通信部６は、体内画像の画像信号に対して変調処理等の通信処理を行う通信処理部６ａと、被検体の体内画像を外部に無線送信するためのアンテナ６ｂと、無線通信部６の機能を実現するための回路が形成された通信基板６ｃとを備える。
【００２２】
通信基板６ｃは、外周部のうちのシート状電池８に対向する一部分に切り欠き部１０ｃが形成された略円盤型のリジッド回路基板であり、通信処理部６ａおよびアンテナ６ｂ等の体内画像の無線送信機能に必要な機能部品を搭載する。この場合、アンテナ６ｂは、通信基板６ｃの実装面のうちの筒状筐体２ａのドーム形状部に対向する側の実装面に実装される。通信処理部６ａは、上述した撮像部５が撮像した被検体の体内画像のデータを含む画像信号を制御部７から取得し、この取得した画像信号に対して変調処理等の通信処理を行って、この画像信号を含む無線信号を生成する。通信処理部６ａは、この生成した無線信号をアンテナ６ｂを介して外部に送信する。なお、このようにアンテナ６ｂから無線送信された被検体の体内画像は、被検体外部の受信装置によって受信される。
【００２３】
制御部７は、カプセル型医療装置１の各構成部を制御するためのものである。具体的には、制御部７は、照明部３、撮像部５および無線通信部６の各動作を制御する動作制御部７ａと、照明部３、撮像部５および無線通信部６に対する電力供給を制御する電源制御部７ｂと、制御部７の機能を実現するための回路が形成された制御基板７ｃとを備える。
【００２４】
制御基板７ｃは、外周部のうちのシート状電池８に対向する一部分に切り欠き部１０ｂが形成された略円盤型のリジッド回路基板であり、動作制御部７ａおよび電源制御部７ｂ等の制御機能に必要な機能部品を搭載する。
【００２５】
動作制御部７ａは、所定の処理プログラムを実行するＣＰＵと、ホワイトバランス等の各種データを予め記憶するＲＯＭと、演算パラメータ等を記憶するＲＡＭとを用いて実現される。動作制御部７ａは、カプセル型医療装置１の各構成部、すなわち照明部３、撮像部５および無線通信部６の各動作を制御し、且つ各構成部間における信号の入出力を制御する。具体的には、動作制御部７ａは、照明光によって照明された臓器内部の画像すなわち体内画像を撮像するように複数の発光部３ａおよび固体撮像素子５ａの動作タイミングを制御する。また、動作制御部７ａは、固体撮像素子５ａによって光電変換処理された信号を取得し、この取得した信号に対して所定の信号処理を行って、被検体の体内画像のデータを含む画像信号を生成する。動作制御部７ａは、かかる画像信号を生成する都度、すなわち撮像部５が体内画像を撮像する都度、かかる画像信号を含む無線信号を外部に送信するように無線通信部６の通信処理部６ａを制御する。
【００２６】
電源制御部７ｂは、電源のオンオフを切り換えるスイッチ回路およびレギュレータ等を用いて実現される。電源制御部７ｂは、例えば外部から印加された磁界によってオン状態とオフ状態とを切り換え、オン状態の場合、照明部３、撮像部５、無線通信部６および動作制御部７ａにシート状電池８の電力を適宜供給し、オフ状態の場合、かかるカプセル型医療装置１の各構成部に対する電力供給を停止する。なお、かかる電源制御部７ｂのスイッチ回路は、外部からの磁界に応じてオンオフを切り替えるものに限らず、外部から入射される赤外光等の光信号に基づいてオンオフを切り替えるものであってもよい。
【００２７】
シート状電池８は、例えばリチウムポリマーセルバッテリ等の柔軟なシート状の電池であり、上述した照明部３、撮像部５、無線通信部６および制御部７に対して必要な電力を供給する電力源として機能する。図３は、シート状電池をシート形状から棒形状に丸める状態を例示する模式図である。シート状電池８は、酸化銀電池等のボタン型電池または乾電池等に比して極めて薄く且つ軽量であり、カプセル型筐体２の内部に配置される前に、図３に示すようにシート形状から棒形状に予め丸められる。かかるシート状電池８は、図１、２に示すように、棒形状に丸められた態様で撮像基板５ｂ、制御基板７ｃおよび通信基板６ｃの各外周部とカプセル型筐体２の内壁部との間に配置される。この場合、棒形状に丸められたシート状電池８は、その長手方向とカプセル型筐体２の長手方向の中心軸ＣＬとを平行にする態様で配置されることが望ましい。また、シート状電池８は、電気的な接続を実現するための電極端子部８ａを備え、撮像基板５ｂに設けられたクリップ端子９に電極端子部８ａを接続することによって、上述した照明基板３ｂ、撮像基板５ｂ、通信基板６ｃおよび制御基板７ｃと電気的に接続される。
【００２８】
ここで、上述した照明基板３ｂ、撮像基板５ｂ、通信基板６ｃおよび制御基板７ｃは、特に図１に図示しないが、フレキシブル回路基板等を介して互いに電気的に接続される。すなわち、かかるフレキシブル回路基板等を介して接続された照明基板３ｂ、撮像基板５ｂ、通信基板６ｃおよび制御基板７ｃは、上述したカプセル型医療装置１の機能部品を搭載する回路基板を構成する。また、かかる回路基板のうちの撮像基板５ｂ、通信基板６ｃおよび制御基板７ｃの各外周部には、回路配線等を阻害しないように切り欠き部１０ａ〜１０ｃが形成される。具体的には、制御基板７ｃの切り欠き部１０ｂは、制御基板７ｃの外周部のうちの電子部品または回路配線が配置されない部分であってシート状電池８に対向する部分に形成されたカット部の一例であり、図２に示すように、棒形状に丸められたシート状電池８の外径以上に広い切り欠き領域を形成する。なお、撮像基板５ｂの切り欠き部１０ａおよび通信基板６ｃの切り欠き部１０ｃは、図２に示す制御基板７ｃの切り欠き部１０ｂと同様である。
【００２９】
上述したように棒形状に丸められたシート状電池８は、かかる撮像基板５ｂ、通信基板６ｃおよび制御基板７ｃの切り欠き部１０ａ〜１０ｃとカプセル型筐体２の内壁部との間に配置される。このように、かかる撮像基板５ｂ、通信基板６ｃおよび制御基板７ｃの各外周部とカプセル型筐体２の内壁部との間の空間は、棒形状に丸められたシート状電池８の配置に有効利用される。
【００３０】
なお、かかるシート状電池８の電力は、上述した電極端子部８ａおよびクリップ端子９を介して照明基板３ｂ、撮像基板５ｂ、通信基板６ｃおよび制御基板７ｃの各機能部品、すなわち複数の発光部３ａ、固体撮像素子５ａ、通信処理部６ａ、動作制御部７ａおよび電源制御部７ｂ等に適宜供給される。
【００３１】
つぎに、上述したシート状電池８の電極端子部８ａとクリップ端子９との接続について説明する。図４は、シート状電池の電極端子部と回路基板のクリップ端子とを接続した状態を例示する模式図である。図４に示すように、クリップ端子９は、弾性力を有する導電部材によって形成されるクリップ状の電源端子であり、撮像基板５ｂの基板面であって切り欠き部１０ａの近傍に配置される。かかるクリップ端子９は、シート状電池８の電極端子部８ａの縁部を挟み込み、この電極端子部８ａの縁部における２つの電極８ｂを弾性力によって挟持する。かかるクリップ端子９によって挟持された２つの電極８ｂは、クリップ端子９を介して撮像基板５ｂと電気的に接続される。
【００３２】
このようにクリップ端子９がシート状電池８の電極８ｂを挟持することによって、撮像基板５ｂ等の回路基板の電源端子にシート状電池８の各電極８ｂを半田付けする必要がなく、容易にシート状電池８とカプセル型医療装置１の回路基板（すなわち上述した照明基板３ｂ、撮像基板５ｂ、通信基板６ｃおよび制御基板７ｃ）とを電気的に接続することができる。これによって、かかる照明基板３ｂ、撮像基板５ｂ、通信基板６ｃおよび制御基板７ｃの各機能部品、すなわち複数の発光部３ａ、固体撮像素子５ａ、通信処理部６ａ、動作制御部７ａおよび電源制御部７ｂ等とシート状電池８との電気的な接続を容易に実現することができる。
【００３３】
以上、説明したように、本発明の実施の形態１では、機能部品を搭載する回路基板の外周部に切り欠き部等のカット部を形成し、このような回路基板を内包するカプセル型筐体の内壁部と回路基板の外周部に形成されたカット部との間に、これら機能部品に電力を供給するシート状電池を棒形状に丸めた態様で配置するようにした。このため、カプセル型筐体の内部にシート状電池をシート形状の態様で配置する場合に比して表面積の大きいシート状電池をカプセル型筐体内部に配置できるとともに、カプセル型筐体内部の回路基板の外周部とカプセル型筐体の内壁部との間の筐体内部空間をシート状電池の配置に有効利用することができる。これによって、カプセル型筐体の内部に配置する機能部品の動作に必要な電力および機能部品の動作時間を低減することなく、装置規模を容易に小型化することが可能なカプセル型医療装置を実現することができる。
【００３４】
また、本発明の実施の形態１では、上述した撮像基板５ｂ等の回路基板にクリップ端子を設け、この回路基板のクリップ端子にシート状電池の電極を挟み込んでカプセル型医療装置の回路基板とシート状電池とを電気的に接続しているので、半田付け等によって回路基板の電源端子にシート状電池の電極を接続する必要がなく、かかるクリップ端子によるシート状電池の電極の挟持によってシート状電池と回路基板との接点を容易に確保することができる。これによって、かかるカプセル型医療装置の回路基板上の機能部品とシート状電池との電気的な接続を容易に実現することができ、この結果、カプセル型医療装置の製造コストを削減できるとともに、かかるシート状電池を内蔵するカプセル型医療装置を容易に組み立てることができる。
【００３５】
さらに、金属ケースを外装とするボタン型電池に比して薄型化および軽量化されたシート状電池を電力源としてカプセル型筐体の内部に配置するので、カプセル型医療装置の電力源の軽量化を図ることができ、これによって、カプセル型医療装置の軽量化を促進することができる。
【００３６】
（実施の形態２）
つぎに、本発明の実施の形態２について説明する。上述した実施の形態１では、撮像基板５ｂ、制御基板７ｃおよび通信基板６ｃの各外周部に、棒形状に丸めたシート状電池８を配置するための切り欠き部１０ａ〜１０ｃを形成していたが、この実施の形態２では、回路基板の外周部に対応してシート状電池８に開口部を形成し、かかるシート状電池８の各開口部に回路基板の各外周部を嵌め込む態様でカプセル型筐体２の内部にシート状電池８を配置している。
【００３７】
図５は、本発明の実施の形態２にかかるカプセル型医療装置の一構成例を示す模式図である。図５に示すように、この実施の形態２にかかるカプセル型医療装置２１は、上述した実施の形態１にかかるカプセル型医療装置１の撮像部５に代えて撮像部２５を備え、無線通信部６に代えて無線通信部２６を備え、制御部７に代えて制御部２７を備え、シート状電池８に代えてシート状電池２８を備える。このカプセル型医療装置２１において、撮像部２５は、実施の形態１における撮像基板５ｂの代わりに、切り欠き部１０ａが形成されていない円盤型の撮像基板２５ｂを備える。無線通信部２６は、実施の形態１における通信基板６ｃの代わりに、切り欠き部１０ｃが形成されていない円盤型の通信基板２６ｃを備える。制御部２７は、実施の形態１における制御基板７ｃの代わりに、切り欠き部１０ｂが形成されていない円盤型の制御基板２７ｃを備える。その他の構成は実施の形態１と同じであり、同一構成部分には同一符号を付している。
【００３８】
撮像基板２５ｂは、円盤型のリジッド回路基板であり、外周部に切り欠き部１０ａが形成されていないこと以外、実施の形態１における撮像基板５ｂと同様である。この場合、クリップ端子９は、かかる撮像基板２５ｂの外周部のうちのシート状電池２８に対向する部分の近傍に配置される。
【００３９】
通信基板２６ｃは、円盤型のリジッド回路基板であり、外周部に切り欠き部１０ｃが形成されていないこと以外、実施の形態１における通信基板６ｃと同様である。制御基板２７ｃは、円盤型のリジッド回路基板であり、外周部に切り欠き部１０ｂが形成されていないこと以外、実施の形態１における制御基板７ｃと同様である。
【００４０】
ここで、上述した照明基板３ｂ、撮像基板２５ｂ、通信基板２６ｃおよび制御基板２７ｃは、特に図５に図示しないが、上述した実施の形態１の場合と同様にフレキシブル回路基板等を介して互いに電気的に接続される。すなわち、かかるフレキシブル回路基板等を介して接続された照明基板３ｂ、撮像基板２５ｂ、通信基板２６ｃおよび制御基板２７ｃは、カプセル型医療装置２１の機能部品を搭載する回路基板を構成する。
【００４１】
シート状電池２８は、上述したカプセル型医療装置２１の回路基板、具体的には撮像基板２５ｂ、通信基板２６ｃおよび制御基板２７ｃを各々嵌め込む開口部２９ａ〜２９ｃが形成されること以外、上述した実施の形態１におけるシート状電池８と同様である。
【００４２】
図６は、開口部が形成されたシート状電池をシート形状から棒形状に丸める状態を例示する模式図である。図６に示すように、シート状電池２８には、撮像基板２５ｂ、通信基板２６ｃおよび制御基板２７ｃに対応して、例えば矩形状の開口部２９ａ〜２９ｃが形成される。かかる３つの開口部２９ａ〜２９ｃは、図５に示すように機能部品の配置空間を確保するように互いに対向する態様の撮像基板２５ｂ、通信基板２６ｃおよび制御基板２７ｃに各々対向するシート状電池２８の各領域に形成される。かかるシート状電池２８は、カプセル型筐体２の内部に配置される前に、図６に示すようにシート形状から棒形状に予め丸められる。この場合、シート状電池２８は、カプセル型筐体２の内部における撮像基板２５ｂ、通信基板２６ｃおよび制御基板２７ｃの配列に合わせて開口部２９ａ〜２９ｃが並ぶように丸められる。
【００４３】
このように棒形状に丸めたシート状電池２８は、図５に示すように、撮像基板２５ｂ、制御基板２７ｃおよび通信基板２６ｃの各外周部とカプセル型筐体２の内壁部との間に配置される。この場合、撮像基板２５ｂの縁部は開口部２９ａに嵌め込まれ、制御基板２７ｃの縁部は開口部２９ｂに嵌め込まれ、通信基板２６ｃの縁部は開口部２９ｃに嵌め込まれる。このように開口部２９ａ〜２９ｃに各回路基板の縁部を嵌め込んだ態様のシート状電池２８は、実施の形態１の場合と同様に電極端子部８ａとクリップ端子９との接続によって照明基板３ｂ、撮像基板５ｂ、通信基板６ｃおよび制御基板７ｃと電気的に接続されるとともに、これら照明基板３ｂ、撮像基板５ｂ、通信基板６ｃおよび制御基板７ｃの間における相対的な基板位置を規定する。なお、かかるシート状電池２８は、その長手方向とカプセル型筐体２の長手方向の中心軸ＣＬとを平行にする態様で配置されることが望ましい。
【００４４】
以上、説明したように、本発明の実施の形態２では、機能部品を搭載する回路基板の配列に対応してシート状電池内の各領域に開口部を形成し、かかるシート状電池の各開口部に回路基板内の各回路基板の縁部を各々嵌め込んだ態様でカプセル型筐体の内部にシート状電池を配置するようにし、その他を実施の形態１と同様に構成した。このため、回路基板の外周部にカット部を形成しなくても、カプセル型筐体内部の回路基板の外周部とカプセル型筐体の内壁部との間の筐体内部空間に、棒形状に丸めた態様のシート状電池を容易に配置できるとともに、この回路基板の間における各回路基板の相対的な位置関係を容易に規定することができる。これによって、上述した実施の形態１の場合と同様の作用効果を享受するとともに、カプセル型筐体内部における各回路基板の基板間隔を容易に調整でき、この結果、より容易に組み立てることが可能なカプセル型医療装置を実現することができる。
【００４５】
（実施の形態３）
つぎに、本発明の実施の形態３について説明する。上述した実施の形態１、２では、カプセル型筐体の内壁部と回路基板の外周部との間に、棒形状に丸めた態様のシート状電池を配置していたが、この実施の形態３では、電極端子部を露出する態様でカプセル型筐体の内部にシート状電池を埋め込むようにしている。
【００４６】
図７は、本発明の実施の形態３にかかるカプセル型医療装置の一構成例を示す模式図である。図８は、図７に示すカプセル型医療装置のＢ−Ｂ線断面模式図である。図７、８に示すように、この実施の形態３にかかるカプセル型医療装置３１は、上述した実施の形態２にかかるカプセル型医療装置２１のカプセル型筐体２およびシート状電池２８の代わりに、カプセル型筐体３２およびシート状電池３８を備える。このカプセル型筐体３２は、上述した筒状筐体２ａの代わりに、シート状電池３８を埋め込んだ態様の筒状筐体３２ａを備える。その他の構成は実施の形態２と同じであり、同一構成部分には同一符号を付している。
【００４７】
カプセル型筐体３２は、実施の形態２における筒状筐体２ａの代わりに、シート状電池３８を埋め込んだ態様の筒状筐体３２ａを用い、この筒状筐体３２ａの開口端をドーム形状筐体２ｂによって塞いで実現される。筒状筐体３２ａは、シート状電池３８の電極端子部８ａを筐体内壁側に露出させた態様でシート状電池３８を埋め込むインサート成形またはインモールド成形によって、シート状電池３８と一体成形される。かかる筒状筐体３２ａは、このようにシート状電池３８を埋め込んだ構造以外、上述した実施の形態２における筒状筐体２ａと同様である。
【００４８】
シート状電池３８は、カプセル型筐体３２に埋め込まれたこと以外、上述した実施の形態１におけるシート状電池８と同様である。具体的には、シート状電池３８は、図３に示したシート状電池８と同様に電極端子部８ａを備え、この電極端子部８ａをカプセル型筐体３２の内壁面側に露出させた態様で筒状筐体３２ａの内部に埋め込まれる。かかる筒状筐体３２ａに埋め込まれた態様のシート状電池３８は、図７、８に示すように、筒状筐体３２ａの形状に対応して円筒形状をなす。かかるシート状電池３８は、筒状筐体３２ａの内壁面側に電極端子部８ａのみを露出させ、この電極端子部８ａとクリップ端子９との接続によって、カプセル型医療装置３１の回路基板、具体的には照明基板３ｂ、撮像基板２５ｂ、通信基板２６ｃおよび制御基板２７ｃと電気的に接続される。
【００４９】
以上、説明したように、本発明の実施の形態３では、機能部品を搭載する回路基板に接続するシート状電池の電極端子部をカプセル型筐体の内壁側に露出する態様で筒状筐体にシート状電池を埋め込み、このシート状電池を埋め込んだ態様の筒状筐体の開口端をドーム形状筐体によって塞いでカプセル型筐体を形成するようにし、その他を実施の形態２と同様に構成した。このため、カプセル型筐体の内部空間にシート状電池の配置空間を確保しなくてもシート状電池を内蔵できるとともに、カプセル型筐体とシート状電池とを一体化して部品点数を削減することができる。これによって、上述した実施の形態２と同様に、電力源の軽量化、組立の容易性の向上および製造コストの削減を図ることができるとともに、機能部品を搭載した回路基板の配置にカプセル型筐体の内部空間を最大限に有効利用でき、これによって、より容易に装置規模を小型化することが可能なカプセル型医療装置を実現することができる。
【００５０】
（実施の形態４）
つぎに、本発明の実施の形態４について説明する。上述した実施の形態１、２では、カプセル型筐体の内壁部と回路基板の外周部との間に、棒形状に丸めた態様のシート状電池を配置していたが、この実施の形態４では、折り畳んだ態様のシート状電池を回路基板間に挟み込むように配置している。
【００５１】
図９は、本発明の実施の形態４にかかるカプセル型医療装置の一構成例を示す模式図である。図９に示すように、この実施の形態４にかかるカプセル型医療装置４１は、上述した実施の形態２にかかるカプセル型医療装置２１のシート状電池２８に代えて折り畳んだ態様のシート状電池４８を備える。この実施の形態４にかかるカプセル型医療装置４１において、シート状電池４８の電極と接続する基板側電源端子は、撮像基板２５ｂの基板面のうちの制御基板２７ｃに対向する基板面に設けられる。また、撮像基板２５ｂ上の機能部品および制御基板２７ｃ上の機能部品は、折り畳んだ態様のシート状電池４８の配置を阻害しない位置に実装される。その他の構成は実施の形態２と同じであり、同一構成部分には同一符号を付している。
【００５２】
シート状電池４８は、上述した実施の形態２におけるシート状電池２８と異なり、折り畳んだ態様で回路基板間に配置される。図１０は、本発明の実施の形態４にかかるカプセル型医療装置のシート状電池を展開した状態を例示する模式図である。図１０に示すように、シート状電池４８は、端部に２つの電極８ｂを有する矩形状のものであり、これら２つの電極８ｂを外側に向けた態様で折り畳まれる。この場合、図１０に示す展開状態のシート状電池４８は、二点鎖線の部分を山折りし且つ破線の部分を谷折りして折り畳まれる。なお、本実施の形態４では２つの電極８ｂをシート状電池４８の一方の端部に形成しているが、これに限らず、シート状電池４８の両側の端部にそれぞれ電極を形成してもよい。
【００５３】
このように折り畳んだ態様のシート状電池４８は、カプセル型医療装置４１の回路基板のうちの互いに対向する２つの回路基板、例えば図９に示すように撮像基板２５ｂと制御基板２７ｃとの間に挟み込まれるように配置される。かかる撮像基板２５ｂと制御基板２７ｃとに挟まれた態様のシート状電池４８は、折り畳んだ状態から折り畳む前の元の状態に復帰しようとする弾性力（図９の太線矢印を参照）を撮像基板２５ｂおよび制御基板２７ｃに付勢する。かかるシート状電池４８は、この弾性力によって、撮像基板２５ｂの電源端子（図示せず）に２つの電極８ｂを押圧して撮像基板２５ｂとの電気的な接続を確保するとともに、撮像基板２５ｂおよび制御基板２７ｃに対する相対的な位置関係を固定する。このように撮像基板２５ｂの電源端子に２つの電極８ｂを密着させた態様のシート状電池４８は、カプセル型医療装置４１の回路基板、具体的には照明基板３ｂ、撮像基板２５ｂ、通信基板２６ｃおよび制御基板２７ｃと電気的に接続される。
【００５４】
なお、かかるシート状電池４８の２つの電極８ａは、上述したように撮像基板２５ｂおよび制御基板２７ｃに付勢する弾性力のみによって撮像基板２５ｂの電源端子に密着させてもよいし、撮像基板２５ｂの基板面に配置したクリップ端子９に挟持されてもよい。この結果、かかるシート状電池４８の２つの電極８ｂとカプセル型医療装置４１の回路基板の電源端子とをより確実に接続することができる。なお、かかる撮像基板２５ｂのクリップ端子９は、撮像基板２５ｂの基板面のうちの制御基板２７ｃに対向する側の基板面に配置されることが望ましい。
【００５５】
以上、説明したように、本発明の実施の形態４では、機能部品を搭載する回路基板内の互いに対向する２つの回路基板の間に、外側に電極を向けて折り畳んだ態様のシート状電池を配置し、折り畳んだ状態から折り畳む前の元の状態に復帰しようとするシート状電池の弾性力によって、これら両側の回路基板のうちの一方に電極を押圧し、この押圧した電極を介してシート状電池と回路基板上の機能部品とを電気的に接続するようにし、その他を実施の形態２と同様に構成した。このため、かかる折り畳んだ態様のシート状電池の弾性力によってシート状電池と回路基板との電気的な接点を確保できるとともに、従来のボタン型電池を内蔵する場合に比してカプセル型筐体の長手方向に占めるシート状電池の体積を小さくすることができる。この結果、上述した実施の形態２と同様に電力源の軽量化を図ることができるとともに、組立の容易性の向上および製造コストの削減を図ることができ、且つ容易に装置規模を小型化することが可能なカプセル型医療装置を実現することができる。
【００５６】
（実施の形態５）
つぎに、本発明の実施の形態５について説明する。上述した実施の形態１、２では、カプセル型筐体の内壁部と回路基板の外周部との間に、棒形状に丸めた態様のシート状電池を配置していたが、この実施の形態５では、筒形状に形成したシート状電池を各回路基板間に配置して、シート状電池が電力源としての機能と回路基板間の基板間隔を保持するスペーサとしての機能とを兼ね備えるようにしている。
【００５７】
図１１は、本発明の実施の形態５にかかるカプセル型医療装置の一構成例を示す模式図である。図１２は、図１１に示すカプセル型医療装置のＤ−Ｄ線断面模式図である。図１３は、図１１に示すカプセル型医療装置のＥ−Ｅ線断面模式図である。図１４は、図１１に示すカプセル型医療装置のＦ−Ｆ線断面模式図である。図１１〜１４に示すように、この実施の形態５にかかるカプセル型医療装置５１は、上述した実施の形態２にかかるカプセル型医療装置２１のシート状電池２８に代えて円筒形状をなすシート状電池５８を備える。その他の構成は実施の形態２と同じであり、同一構成部分には同一符号を付している。
【００５８】
シート状電池５８は、上述した実施の形態２におけるシート状電池２８と異なり、カプセル型医療装置５１の回路基板内の互いに対向する複数の回路基板間に筒形状の態様で配置される。かかるシート状電池５８は、これら複数の回路基板間の基板間隔を保持するスペーサとしての機能と電力源としての機能とを兼ね備える。
【００５９】
図１５は、本発明の実施の形態５にかかるカプセル型医療装置のシート状電池を展開した状態を例示する模式図である。図１５に示すように、シート状電池５８は、円筒形状に形成可能な２つの筒形成部５８ａ、５８ｂと、これら２つの筒形成部５８ａ、５８ｂを連結する帯状部５８ｃと、筒形成部５８ａの端部から延出する電極端子部８ａとを備える。
【００６０】
筒形成部５８ａ、５８ｂは、帯状部５８ｃを介して直列接続される電池機能部であり、例えば共通の軸Ｇを中心に丸めることによって、互いに略同じ長手方向の筒形状を形成する。かかる筒形状をなす筒形成部５８ａの外径は、撮像基板２５ｂおよび制御基板２７ｃの基板寸法以下であり、筒形成部５８ａの内径は、撮像基板２５ｂおよび制御基板２７ｃにおける機能部品の実装領域以上である。また、かかる筒形成部５８ａの筒長は、機能部品の配置空間を確保するために必要な撮像基板２５ｂと制御基板２７ｃとの基板間隔以上である。かかる筒形状をなす筒形成部５８ａは、図１１、１２に示すように、撮像基板２５ｂと制御基板２７ｃとに挟まれるように配置され、これによって、機能部品の配置空間の確保に必要な基板間隔になるように撮像基板２５ｂと制御基板２７ｃとの基板間隔を保持する。この場合、撮像基板２５ｂ上の機能部品および制御基板２７ｃ上の機能部品は、この筒形状をなす筒形成部５８ａの内側領域に位置する。
【００６１】
一方、かかる筒形状をなす筒形成部５８ｂの外径は、制御基板２７ｃおよび通信基板２６ｃの基板寸法以下であり、筒形成部５８ｂの内径は、制御基板２７ｃおよび通信基板２６ｃにおける機能部品の実装領域以上である。また、かかる筒形成部５８ｂの筒長は、機能部品の配置空間を確保するために必要な制御基板２７ｃと通信基板２６ｃとの基板間隔以上である。かかる筒形状をなす筒形成部５８ｂは、図１１、１４に示すように、制御基板２７ｃと通信基板２６ｃとに挟まれるように配置され、これによって、機能部品の配置空間の確保に必要な基板間隔になるように制御基板２７ｃと通信基板２６ｃとの基板間隔を保持する。この場合、制御基板２７ｃ上の機能部品および通信基板２６ｃ上の機能部品は、この筒形状をなす筒形成部５８ｂの内側領域に位置する。
【００６２】
帯状部５８ｃは、上述した両側の筒形成部５８ａ、５８ｂから連続する電池機能部であり、図１５に示したように筒形成部５８ａ、５８ｂを直列接続する。かかる帯状部５８ｃは、筒形状をなす筒形成部５８ａ、５８ｂを連結した状態で制御基板２７ｃの外周部に配置される。この場合、帯状部５８ｃは、図１３に示すように、制御基板２７ｃの外周部に形成された切り欠き部の内部に配置される。
【００６３】
なお、かかるシート状電池５８の電極端子部８ａは、図１２に示すように、撮像基板２５ｂの基板面に配置されたクリップ端子９に挟持される。この電極端子部８ａの２つの電極８ｂは、上述した実施の形態１等と同様に、かかるクリップ端子９に挟持されることによって、容易にクリップ端子９と電気的に接続される。シート状電池５８は、かかる電極端子部８ａおよびクリップ端子９を介して、カプセル型医療装置５１の回路基板、具体的には照明基板３ｂ、撮像基板２５ｂ、通信基板２６ｃおよび制御基板２７ｃと電気的に接続される。
【００６４】
以上、説明したように、本発明の実施の形態５では、機能部品を搭載する回路基板内の互いに対向する複数の回路基板間に、筒形状をなすシート状電池を配置して、これら複数の回路基板間の基板間隔を保持するようにし、その他を実施の形態２と同様に形成した。このため、電力源であるシート状電池を、回路基板間の基板間隔を保持するスペーサとしても機能させることができ、これによって、かかるスペーサ等のメカ部品を必要とせず、装置の部品点数を削減することができる。この結果、上述した実施の形態２と同様の作用効果を享受するとともに、機能部品の配置空間に必要な回路基板間の基板間隔を容易に確保でき、より容易に製造可能なカプセル型医療装置を実現することができる。
【００６５】
なお、上述した実施の形態１では、回路基板の外周部のうちのシート状電池に対向する一部分に、棒形状に丸めた態様のシート状電池８を配置するための切り欠き部１０ａ〜１０ｃを形成していたが、これに限らず、回路基板の外周部のうちのシート状電池８に対向する部分には、シート状電池の配置空間を確保するためのＤカット部を形成してもよい。
【００６６】
図１６は、回路基板の外周部に形成されたＤカット部を例示する模式図である。図１６に示すように、制御基板７ｃのＤカット部１１ｂは、シート状電池８の配置空間を確保するためのものであり、制御基板７ｃの外周部のうちのシート状電池８に対向する側をＤカット加工することによって形成される。なお、特に図示しないが、上述した撮像基板５ｂおよび通信基板６ｃの各外周部にも、この制御基板７ｃのＤカット部１１ｂと同様のＤカット部を形成すればよい。この場合、シート状電池８は、かかる回路基板の各Ｄカット部とカプセル型筐体２の内壁部との間に配置される。
【００６７】
一方、上述した実施の形態４では、図１０に示したような矩形状のシート状電池４８を折り畳んだ態様で回路基板間に配置していたが、これに限らず、回路基板間に折り畳んだ態様で配置されるシート状電池は、帯状の電池機能部を介して円形状の電池機能部を複数接続した態様のものであってもよい。
【００６８】
図１７は、本発明の実施の形態４にかかるカプセル型医療装置のシート状電池の一変形例を示す模式図である。なお、図１７には、シート状電池を展開した状態が図示されている。図１７に示すように、この変形例であるシート状電池４９は、例えば回路基板の形状に合わせた円形状の電池機能部である複数の円形部４９ａ〜４９ｅと、これら複数の円形部４９ａ〜４９ｅを一連に直列接続する複数の帯状部４９ｆ〜４９ｉとを備える。これら複数の円形部４９ａ〜４９ｅのうち、円形部４９ａの端部には２つの電極８ｂが配置される。かかる円形部４９ａ〜４９ｅおよび帯状部４９ｆ〜４９ｉによって実現されるシート状電池４９は、２つの電極８ｂを外側に向けた態様で折り畳まれる。この場合、図１７に示す展開状態のシート状電池４９は、帯状部４９ｆ、４９ｈを山折りし且つ帯状部４９ｇ、４９ｉを谷折りして折り畳まれる。かかるシート状電池４９は、上述した矩形状のシート状電池４８に比して表面積を大きくすることができ、これによって、矩形状のシート状電池４８に比して電力容量を大きくすることができる。本発明の実施の形態４にかかるカプセル型医療装置４１は、上述したシート状電池４８に代えて図１７に示すシート状電池４９を折り畳んだ態様で回路基板間に内蔵してもよく、これによって、上述したシート状電池４８を内蔵した場合と同様の作用効果を享受するとともに、装置規模の小型化を阻害せずに、内蔵する電力源の電力量を高めることができる。
【００６９】
一方、上述した実施の形態５では、２つの筒形成部５８ａ、５８ｂを帯状部５８ｃによって直列接続した態様の単一のシート状電池５８を回路基板間に配置していたが、これに限らず、複数のシート状電池によって回路基板の縁部を挟み込む態様でカプセル型筐体内部に複数のシート状電池を配置し、これら複数のシート状電池を、電力源として機能させるとともにスペーサとしても機能させてもよい。
【００７０】
図１８は、本発明の実施の形態５の変形例にかかるカプセル型医療装置の一構成例を示す模式図である。図１８に示すように、この実施の形態５の変形例であるカプセル型医療装置５１ａは、上述した実施の形態５にかかるカプセル型医療装置５１のシート状電池５８に代えて複数のシート状電池５９ａ、５９ｂを備える。その他の構成は実施の形態５と同じであり、同一構成部分には同一符号を付している。
【００７１】
シート状電池５９ａは、上述した実施の形態２におけるシート状電池２８と同様の構造を有する。すなわち、シート状電池５９ａは、クリップ端子９に挟持される電極端子８ａを備え、且つ、撮像基板２５ｂ、制御基板２７ｃおよび通信基板２６ｃを各々嵌め込むための開口部２９ａ〜２９ｃを形成される。なお、一方のシート状電池５９ｂは、かかるシート状電池５９ａと同様である。かかるシート状電池５９ａ、５９ｂは、棒形状に丸めた態様で撮像基板２５ｂ、制御基板２７ｃおよび通信基板２６ｃを両側から挟み込むように配置される。この場合、かかる両側のシート状電池５９ａ、５９ｂの各開口部には、撮像基板２５ｂ、制御基板２７ｃおよび通信基板２６ｃの各縁部が各々嵌め込まれる。このように回路基板を両側から挟み込んだ態様のシート状電池５９ａ、５９ｂは、上述した実施の形態５の場合と略同様に、撮像基板２５ｂ、制御基板２７ｃおよび通信基板２６ｃの各基板間隔を保持する。このため、かかるシート状電池５９ａ、５９ｂを内蔵するカプセル型医療装置５１ａは、上述した実施の形態５にかかるカプセル型医療装置５１と同様の作用効果を享受する。
【００７２】
一方、上述した実施の形態１〜５では、クリップ端子９等によって回路基板の電源端子とシート状電池の電極とを直接接続していたが、これに限らず、ジャンパ線等の導線を用いて回路基板の電源端子とシート状電池の電極とを電気的に接続してもよい。
【００７３】
また、上述した実施の形態１〜５では、回路基板側の電源端子であるクリップ端子を撮像基板に配置していたが、これに限らず、かかるクリップ端子は、カプセル型医療装置の回路基板のうちの所望の回路基板、例えば照明基板、撮像基板、制御基板および通信基板のいずれに配置されてもよい。
【００７４】
さらに、上述した実施の形態４では、折り畳んだ態様のシート状電池４８を撮像基板２５ｂと制御基板２７ｃとの間に挟み込んでいたが、これに限らず、かかる折り畳んだ態様のシート状電池４８を挟みこむ２つの回路基板は、回路基板内の互いに対向する２つの回路基板であればよく、例えば、上述した制御基板２７ｃと通信基板２６ｃとの間に、折り畳んだ態様のシート状電池４８を挟み込んでもよい。
【００７５】
また、上述した実施の形態５では、２つの筒形成部５８ａ、５８ｂを有するシート状電池５８を例示したが、これに限らず、シート状電池の筒形成部は、機能部品の配置空間を確保する必要がある回路基板間の数量に合わせて形成されていれば、１つ以上であってもよい。
【００７６】
さらに、上述した実施の形態１〜５では、単一の撮像部を内蔵した単眼タイプのカプセル型医療装置を例示したが、これに限らず、本発明にかかるカプセル型医療装置は、複数の撮像部を内蔵した複眼タイプのカプセル型医療装置であってもよい。
【００７７】
また、上述した実施の形態１〜５では、被検体の体内画像を撮像するカプセル型医療装置を例示したが、これに限らず、本発明にかかるカプセル型医療装置は、被検体の体内情報として被検体内部のｐＨ値または温度などを計測するカプセル型医療装置であってもよいし、被検体の体内情報として生体組織の状態を検出するカプセル型医療装置であってもよい。あるいは、本発明にかかるカプセル型医療装置は、被検体内部に薬剤を散布または注射する機能を備えたカプセル型医療装置であってもよいし、生体組織などの生体内の物質を採取するカプセル型医療装置であってもよい。
【図面の簡単な説明】
【００７８】
【図１】本発明の実施の形態１にかかるカプセル型医療装置の一構成例を示す模式図である。
【図２】図１に示すカプセル型医療装置のＡ−Ａ線断面模式図である。
【図３】シート状電池をシート形状から棒形状に丸める状態を例示する模式図である。
【図４】シート状電池の電極端子部と回路基板のクリップ端子とを接続した状態を例示する模式図である。
【図５】本発明の実施の形態２にかかるカプセル型医療装置の一構成例を示す模式図である。
【図６】開口部が形成されたシート状電池をシート形状から棒形状に丸める状態を例示する模式図である。
【図７】本発明の実施の形態３にかかるカプセル型医療装置の一構成例を示す模式図である。
【図８】図７に示すカプセル型医療装置のＢ−Ｂ線断面模式図である。
【図９】本発明の実施の形態４にかかるカプセル型医療装置の一構成例を示す模式図である。
【図１０】本発明の実施の形態４にかかるカプセル型医療装置のシート状電池を展開した状態を例示する模式図である。
【図１１】本発明の実施の形態５にかかるカプセル型医療装置の一構成例を示す模式図である。
【図１２】図１１に示すカプセル型医療装置のＤ−Ｄ線断面模式図である。
【図１３】図１１に示すカプセル型医療装置のＥ−Ｅ線断面模式図である。
【図１４】図１１に示すカプセル型医療装置のＦ−Ｆ線断面模式図である。
【図１５】本発明の実施の形態５にかかるカプセル型医療装置のシート状電池を展開した状態を例示する模式図である。
【図１６】回路基板の外周部に形成されたＤカット部を例示する模式図である。
【図１７】本発明の実施の形態４にかかるカプセル型医療装置のシート状電池の一変形例を示す模式図である。
【図１８】本発明の実施の形態５の変形例にかかるカプセル型医療装置の一構成例を示す模式図である。
【符号の説明】
【００７９】
１  カプセル型医療装置
２  カプセル型筐体
２ａ  筒状筐体
２ｂ  ドーム形状筐体
３  照明部
３ａ  発光部
３ｂ  照明基板
４  光学系
４ａ  レンズ
４ｂ  レンズ枠
５  撮像部
５ａ  固体撮像素子
５ｂ  撮像基板
６  無線通信部
６ａ  通信処理部
６ｂ  アンテナ
６ｃ  通信基板
７  制御部
７ａ  動作制御部
７ｂ  電源制御部
７ｃ  制御基板
８  シート状電池
８ａ  電極端子部
８ｂ  電極
９  クリップ端子
１０ａ〜１０ｃ  切り欠き部
１１ｂ  Ｄカット部
２１  カプセル型医療装置
２５  撮像部
２５ｂ  撮像基板
２６  無線通信部
２６ｃ  通信基板
２７  制御部
２７ｃ  制御基板
２８  シート状電池
２９ａ〜２９ｃ  開口部
３１  カプセル型医療装置
３２  カプセル型筐体
３２ａ  筒状筐体
３８  シート状電池
４１  カプセル型医療装置
４８  シート状電池
４９  シート状電池
４９ａ〜４９ｅ  円形部
４９ｆ〜４９ｉ  帯状部
５１  カプセル型医療装置
５１ａ  カプセル型医療装置
５８  シート状電池
５８ａ  筒形成部
５８ｂ  筒形成部
５８ｃ  帯状部
５９ａ  シート状電池
５９ｂ  シート状電池
【図１】
2010035636.tif 000003
【図２】
2010035636.tif 000004
【図３】
2010035636.tif 000005
【図４】
2010035636.tif 000006
【図５】
2010035636.tif 000007
【図６】
2010035636.tif 000008
【図７】
2010035636.tif 000009
【図８】
2010035636.tif 000010
【図９】
2010035636.tif 000011
【図１０】
2010035636.tif 000012
【図１１】
2010035636.tif 000013
【図１２】
2010035636.tif 000014
【図１３】
2010035636.tif 000015
【図１４】
2010035636.tif 000016
【図１５】
2010035636.tif 000017
【図１６】
2010035636.tif 000018
【図１７】
2010035636.tif 000019
【図１８】
2010035636.tif 000020